(57)【特許請求の範囲】
【請求項１】
記憶手段を備える端末本体と、
前記端末本体に着脱可能に構成されるとともに、前記端末本体から取り外された状態で前記端末本体との無線通信が可能な撮影手段と、
を備え、
取り外された前記撮影手段による撮影データを前記無線通信により前記端末本体に送信するとともに、所定の操作入力により前記撮影データを前記端末本体に設けられた前記記憶手段に記憶することを特徴とする携帯端末。
【請求項２】
前記撮影手段による前記撮影データを、前記無線通信により前記端末本体に所定の周期で取り込むことを特徴とする請求項１に記載の携帯端末。
【請求項３】
前記端末本体は、表示画面を備え、
前記撮影データを前記無線通信により前記端末本体に送信して前記表示画面に表示するとともに、前記表示画面に表示させた撮影データを前記所定の操作入力により前記記憶手段に記憶することを特徴とする請求項１に記載の携帯端末。
【請求項４】
前記撮影手段による前記撮影データを、前記無線通信により前記端末本体に所定の周期で取り込んで前記表示画面に順次切り替え表示することを特徴とする請求項３に記載の携帯端末。
【請求項５】
前記撮影手段による前記撮影データを、前記端末本体から基地局に送信可能であることを特徴とする請求項１から請求項４のいずれか一項に記載の携帯端末。
【請求項６】
前記撮影手段による前記撮影データを、前記基地局から他の端末に送信可能であることを特徴とする請求項５に記載の携帯端末。
【発明の詳細な説明】
【０００１】
【発明の属する技術分野】
本発明は、携帯電話等、通信により情報をやりとりする携帯端末に関する。
【０００２】
【従来の技術】
携帯電話等、通信により情報を基地局を介して他とやりとりする携帯端末において、デジタルカメラ（撮影手段）を一体に内蔵したものが、例えば特開２０００−３５８２２５号公報に開示されている。この種の携帯端末は、デジタルカメラで撮影した撮影データを表示画面に表示するとともに、所定の操作を行うことで、デジタルカメラで撮った撮影データを内蔵のメモリに記憶させるようになっている。そして、このメモリに記憶させた撮影データを必要により表示画面に表示させたり、基地局を介して他の携帯端末に送信したりすることができるようになっている。
【０００３】
【発明が解決しようとする課題】
しかしながら、上記の携帯端末では、デジタルカメラが一体に内蔵されているため、撮影者を含んだ範囲を撮影する場合に至近距離でしか撮影することができないという問題があった。すなわち、撮影者はデジタルカメラが一体化された携帯端末をそのシャッタ操作のために持って撮影を行うことになるため、カメラと撮影者との距離を当然のことながら撮影者の腕の長さよりも長くはできず、逆に撮影者を含んだ広範囲を撮影するようにカメラを撮影者の操作可能な距離よりも遠くに置くと当然のことながらシャッタ操作を行うことができないのである。
【０００４】
また、デジタルカメラとその画像を表示する表示画面とが携帯端末に一体化されていると、例えば高い視点位置から撮影しようとした場合に、携帯端末全体を高く持ち上げなければならず、当然のことながら、表示画面も高く持ち上がってしまうことになるため、表示画面により撮像手段の撮影映像を見ながらの撮影が困難になってしまうという問題があった。
【０００５】
さらに、デジタルカメラとその画像を表示する表示画面とが携帯端末に一体化されていると、例えば狭い隙間にある被写体を撮影しようとした場合に、携帯端末全体を隙間に入れなければならず、隙間によっては携帯端末全体を入れることができなかったり、隙間に入れることができても撮像方向の調整が困難となったり、表示画面を見ることが困難となったりする問題もあった。
【０００６】
したがって、本発明は、撮影者を含んだ遠距離撮影、高い位置からの撮影および狭い隙間の撮影等を良好に行うことが可能な携帯端末の提供を目的とする。
【０００７】
【課題を解決するための手段】
上記目的を達成するために、本発明に係る携帯端末は、記憶手段を備える端末本体と、
前記端末本体に着脱可能に構成されるとともに、前記端末本体から取り外された状態で前記端末本体との無線通信が可能な撮影手段と、を備え、取り外された前記撮影手段による撮影データを前記無線通信により前記端末本体に送信するとともに、所定の操作入力により前記撮影データを前記端末本体に設けられた前記記憶手段に記憶することを特徴とする。
【０００８】
また、前記撮影手段による前記撮影データを、前記無線通信により前記端末本体に所定の周期で取り込むことを特徴とする。
また、前記端末本体は、表示画面を備え、前記撮影データを前記無線通信により前記端末本体に送信して前記表示画面に表示するとともに、前記表示画面に表示させた撮影データを前記所定の操作入力により前記記憶手段に記憶することを特徴とする。
また、前記撮影手段による前記撮影データを、前記無線通信により前記端末本体に所定の周期で取り込んで前記表示画面に順次切り替え表示することを特徴とする。
また、前記撮影手段による前記撮影データを、前記端末本体から基地局に送信可能であることを特徴とする。
また、前記撮影手段による前記撮影データを、前記基地局から他の端末に送信可能であることを特徴とする。
【０００９】
このように、撮影手段が着脱可能とされているため、例えば、撮影手段による撮影データを通信により端末本体に送信し表示画面に表示させるようにするとともに、端末本体が表示画面に表示させた撮影データを端末本体への所定の操作入力により記憶手段に記憶するようにすれば、取り外した撮影手段を撮影者に対し離れた位置に置いて端末本体側で前記所定の操作入力をすることにより撮影することが可能となる。また、高い位置から撮影する場合に、取り外した撮影手段のみを撮影のため高い位置に持ち上げればよく、表示画面が設けられた端末本体を持ち上げる必要がなくなる。さらに、狭い隙間を撮影する場合に、取り外した撮影手段のみを狭い隙間に入れればよいため、全体を狭い隙間に入れる必要がなくなる。
【００１０】
このように取り外された撮影手段を端末本体側で無線通信により制御するため、例えば取り外された撮影手段による撮影データを無線通信により端末本体に送信して表示画面に表示させるとともに、端末本体側で表示画面に表示させた撮影データを所定の操作入力により記憶手段に記憶するようにすれば、取り外した撮影手段を撮影者に対し離れた位置に置き、この所定の操作入力をすることで撮影することができる。また、高い位置から撮影する場合に、取り外した撮影手段のみを撮影のため高い位置に持ち上げればよく、表示画面が設けられた端末本体を持ち上げる必要がなくなる。さらに、狭い隙間を撮影する場合に、取り外した撮影手段のみを狭い隙間に入れればよいため、表示画面が設けられた端末本体を狭い隙間に入れる必要がなくなり、その結果、この端末本体に設けられた表示画面により撮像手段の撮影映像を見ながらの撮影を良好に行うことができる。
【００１２】
このように、端末本体が、表示画面に表示させた撮影データを所定の操作入力により記憶手段に記憶するため、取り外された撮影手段による撮影データを無線通信により端末本体に送信して表示画面に表示させ、端末本体側で表示画面に表示させた撮影データを所定の操作入力により記憶手段に記憶することになり、その結果、取り外した撮影手段を撮影者に対し離れた位置に置き、この所定の操作入力をすることで撮影することができる。
【００１３】
【発明の実施の形態】
本発明の一実施形態の携帯端末を図面を参照して以下に説明する。
【００１４】
本実施形態の携帯端末１０は、音声通話およびメールの図示せぬ基地局を介しての送受信が可能ないわゆる携帯電話であり、図１に示すように、一対の筐体１１，１２が、互いに重なり合う閉状態と互いに離間する開状態とに回動部１３を中心に回動可能に連結された折り畳み式のものである。
【００１５】
一対の筐体１１，１２は、互いに端縁部同士を連結させるほぼ矩形板状のものである。一方の筐体１１には他方の筐体１２との閉時対向面１１ａにＬＣＤ画面（表示画面）１５が設けられており、他方の筐体１２には一方の筐体１１との閉時対向面１２ａに複数の操作キー１４が設けられている。
【００１６】
そして、ＬＣＤ画面１５が設けられた筐体１１のＬＣＤ画面１５に対し反対側すなわち閉状態で外側に露出する裏面１１ｂ側には、その回動部１３に対し反対側に、デジタルカメラ（撮影手段）１７が着脱可能に設けられている。なお、携帯端末１０において、着脱可能なデジタルカメラ１７を取り外した残りの部分を端末本体１８とする。
【００１７】
図２に示すように、ＬＣＤ画面１５が設けられた筐体１１の裏面１１ｂ側には、その回動部１３に対し反対側に、矩形段状をなして凹む収納凹部２０が形成されている。この収納凹部２０は、裏面１１ｂ側に開口するとともに回動部１３（図１参照）に対し反対側にも開口しており、裏面１１ｂに平行をなす底面部２１と、この底面部２１に直交し筐体１１の長さ方向に延在する互いに平行な一対の側面部２２と、底面部２１に直交し側面部２２にも直交する接続面部２３とを有している。
【００１８】
そして、一対の側面部２２には、底面部２１に平行をなすガイド溝２５がそれぞれ形成されている。また、これらガイド溝２５の中間部には、進退可能なロック突起２６がそれぞれ設けられており、これらロック突起２６は、常時は図示せぬバネの付勢力で収納凹部２０側に突出し、図示せぬロック解除ボタンの操作により収納凹部２０側から同時に退避する。さらに、接続面部２３には本体側コネクタ２７が埋設されている。加えて、筐体１１の裏面１１ｂには収納凹部２０と隣り合って近距離無線通信の信号を送受信するための送受信部２８が設けられている。
【００１９】
一方、デジタルカメラ１７は、収納凹部２０に嵌合する略直方体形状をなすもので、一の面部３０に被写体に向けられることにより被写体の像が入射されるレンズ部３１を有しており、このレンズ部３１が設けられた面部３０に直交しかつ互いに平行をなす一対の側面部３２に、それぞれ、面部３０に平行なガイド突起３３が形成されている。
【００２０】
デジタルカメラ１７は、これらガイド突起３３をガイド溝２５に挿入することでガイド溝２５に案内されながら端末本体１８の収納凹部２０に嵌合されることになる。
【００２１】
ガイド突起３３には、中間所定位置にロック用切欠部３４が形成されており、ガイド溝２５にガイド突起３３を嵌合させつつ収納凹部２０にデジタルカメラ１７を規定の位置まで嵌合させると、ロック用切欠部３４にロック突起２６が嵌合して、デジタルカメラ１７を端末本体１８に固定する。
【００２２】
なお、デジタルカメラ１７は、面部３０および両側面部３２に直交する底面部３５側を先方として収納凹部２０に嵌合されることになり、この底面部３５には、デジタルカメラ１７が端末本体１８に固定する際に、本体側コネクタ２７に嵌合し電気的に導通するカメラ側コネクタ３７が設けられている。
【００２３】
また、このようにデジタルカメラ１７が端末本体１８に対し固定された状態から、図示せぬロック解除ボタンが操作されると、ロック突起２６のロック用切欠部３４への嵌合が解除されることになり、その結果、デジタルカメラ１７が端末本体１８に対する固定が解除された状態となる。この状態でデジタルカメラ１７を端末本体１８に対し回動部１３から離れる方向に引き抜くことで、デジタルカメラ１７は端末本体１８から取り外されることになる。
【００２４】
また、デジタルカメラ１７のレンズ部３１が配置された面部３０には、近距離無線通信の信号を送受信するための送受信部３８が設けられている。さらに、図３に示すように、デジタルカメラ１７の面部３０に対し反対側の裏面部３９には、このデジタルカメラ１７を端末本体１８から取り外した状態で底面部３５において載置場所に載置させる際の転倒を防止するための一対の支え部材４０が揺動可能に設けられている。すなわち、これら一対の支え部材４０は、裏面部３９から引き出されると底面部３５と同一平面をなすように配置されることになり、これによりデジタルカメラ１７の転倒を防止する。また、これら一対の支え部材４０は、デジタルカメラ１７を端末本体１８に取り付ける際には、裏面部３９内に収納される。なお、これら一対の支え部材４０を任意の角度で停止可能とすれば、載置時のデジタルカメラ１７のレンズ部３１の方向を調整可能となる。
【００２５】
デジタルカメラ１７の内部には、図４に示すように、レンズ部３１を通して入射された像を受像する受像部４２と、該受像部４２で受像した像をデジタル信号からなる撮影データに変換する撮影データ生成部４３と、レンズ部３１の光学ズーム調整、露出調整およびピント調整等の撮影条件を調整する調整機構部４４と、撮像データ生成部４３で生成された撮影データを上記した送受信部３８を介して近距離無線通信で端末本体１８側に出力させるとともに端末本体１８側から近距離無線通信で送信された制御信号が上記した送受信部３８を介して入力されこの制御信号に基づいて調整機構部４４等を制御するカメラ制御部４５と、カメラ制御部４５に電力を供給するバッテリ４６とを有している。なお、各部への電力供給は制御部４５を介して行われる。
【００２６】
端末本体１８には、操作キー１４への操作入力に応じた制御信号を送受信部２８を介して近距離無線通信でデジタルカメラ１７に送信するとともに、近距離無線通信でデジタルカメラ１７側から送信され送受信部２８を介して受信した撮影データをＬＣＤ画面１５に表示させる撮影用制御部４８と、デジタルカメラ１７側から送信された撮影データのうち、撮影用制御部４８が指定する所定の撮像データを記憶するメモリ（記憶手段）４９とを有している。また、端末本体１８には、本来の携帯電話の機能である基地局とのデータの送受信等を行う電話用総合制御部５０が設けられている。さらに、端末本体１８には、撮影用制御部４８および電話用総合制御部５０に電力を供給するバッテリ５１が設けられている。なお、各部への電力供給は撮影用制御部４８あるいは電話用総合制御部５０を介して行われる。
【００２７】
そして、上記構成の携帯端末１０においては、端末本体１８にデジタルカメラ１７が一体的に取り付けられた状態では、端末本体１８の操作キー１４にデジタルカメラ１７による撮影を行う撮影モードを選択するための所定の操作入力がなされると、端末本体１８の撮影用制御部４８が、コネクタ２７，３７同士の嵌合により有線接続されているデジタルカメラ１７のカメラ制御部４５に撮影開始用の制御信号を出力する。すると、カメラ制御部４５は、レンズ部３１を介して入射された像の受像部４２による取り込みを開始させるとともに、この受像データを撮影データ生成部４３によりデジタル信号からなる撮影データに変換させ、さらにこの撮影データを端末本体１８の撮影用制御部４８に出力する。
【００２８】
また、この撮影モードにおいて、端末本体１８の操作キー１４に撮影条件を変更するための所定の操作入力がなされると、端末本体１８の撮影用制御部４８が、コネクタ２７，３７同士の嵌合により有線接続されているデジタルカメラ１７のカメラ制御部４５に操作入力応じた撮影条件変更用の制御信号を出力する。すると、カメラ制御部４５は、制御信号に応じて調整機構部４４を制御し、レンズ部３１の光学ズーム調整、露出調整およびピント調整等の撮影条件を調整する。
なお、デジタルカメラ１７の軽量化および簡素化を図るため、このような調整機構部４４を設けないようにしてもよい。
【００２９】
一方、撮影用制御部４８は、カメラ制御部４５から送られた撮影データをＬＣＤ画面１５に表示させる。このとき、同一のタイミングで受像部４２の全体で受像したデータを一群のデータとして同一のタイミングでＬＣＤ画面１５の全体に表示させることになり、このような一群のデータを、所定の周期で取り込み順次切り替え表示させる。
【００３０】
このようにして、デジタルカメラ１７で撮影した撮影データをＬＣＤ画面１５に表示させることになる。そして、端末本体１８の操作キー１４に画像を記憶させる、すなわちデジタルカメラ１７のシャッタを切るための所定の操作入力がなされると、撮影用制御部４８は、このときＬＣＤ画面１５の全体に表示させていた撮影データをメモリ４９に記憶させる。
【００３１】
他方、図示せぬロック解除ボタンを操作し、端末本体１８からデジタルカメラ１７を取り外して、取り外されたデジタルカメラ１７のみを適当な載置場所に底面部３５において載置させる。このとき、デジタルカメラ１７の載置姿勢を安定させることができない場合等には、支え部材４０を引き出しこれを支えとして用いて姿勢を安定させる。
【００３２】
そして、デジタルカメラ１７から分離された端末本体１８の操作キー１４にデジタルカメラ１７による撮影を行う撮影モードを選択するための所定の操作入力がなされると、端末本体１８の撮影用制御部４８が、送受信部２８から撮影開始用の無線制御信号を発信する。すると、これがデジタルカメラ１７の送受信部３８で受信され、カメラ制御部４５に撮影開始用の制御信号が入力される。すると、カメラ制御部４５は、レンズ部３１を介して入射された像の受像部４２による受像を開始させるとともに、この受像データを撮影データ生成部４３によりデジタル信号からなる撮影データに変換させる。そして、カメラ制御部４５は、この撮影データを、送受信部３８から無線信号で発信する。すると、これが端末本体１８の送受信部２８で受信され、端末本体１８の撮影用制御部４８に入力される。
【００３３】
また、この撮影モードにおいて、端末本体１８の操作キー１４に撮影条件を変更するための所定の操作入力がなされると、端末本体１８の撮影用制御部４８が、操作入力応じた撮影条件変更用の無線制御信号を送受信部２８から発信する。
すると、これがデジタルカメラ１７の送受信部３８で受信され、カメラ制御部４５に撮影条件変更用の制御信号が入力される。すると、カメラ制御部４５は、制御信号に応じて調整機構部４４を制御し、レンズ部３１の光学ズーム調整、露出調整およびピント調整等の撮影条件を調整する。
【００３４】
一方、撮影用制御部４８は、送受信部２８で受信し入力された撮影データをＬＣＤ画面１５に表示させる。このとき、上記と同様、同一のタイミングで受像部４２の全体で受像したデータを一群のデータとして同一のタイミングでＬＣＤ画面１５の全体に表示させることを順次行うことになる。
【００３５】
このようにして、デジタルカメラ１７で撮影した撮影データをＬＣＤ画面１５に表示させることになる。そして、端末本体１８の操作キー１４に画像を記憶させる、すなわちデジタルカメラ１７のシャッタを切るための所定の操作入力がなされると、撮影用制御部４８は、このときＬＣＤ画面１５の全体に表示させていた撮影データをメモリ４９に記憶させる。なお、メモリ４９には、このような撮影データが複数記憶可能となっている。
【００３６】
上記のようにして、メモリ４９に記憶された撮影データは、端末本体１８の操作キー１４に所定の読み出しの操作入力が行われると、撮影用制御部４８で読み出されてＬＣＤ画面１５に表示させられることになる。このようにして、所望の撮影データを読み出してＬＣＤ画面１５に表示させることができる。
【００３７】
また、メモリ４９に記憶された撮影データの所望のものを指定した状態で、端末本体１８の操作キー１４に所定の送信の操作入力が行われると、電話用総合制御部５０は、この指定された撮像データを含む通信データを基地局に無線通信で送信し、基地局は通信データに含まれる相手先の例えば携帯端末にこの撮像データを含む通信データを送信する。すると、この撮像データを相手先の携帯端末のＬＣＤ画面に表示させることができることになる。
【００３８】
以上に述べた携帯端末１０によれば、デジタルカメラ１７が着脱可能となっており、取り外されたデジタルカメラ１７を端末本体１８側で無線通信によりリモート制御することになり、より具体的には、取り外されたデジタルカメラ１７による撮影データを無線通信により端末本体１８に送信してＬＣＤ画面１５に表示させるとともに、端末本体１８側でＬＣＤ画面１５に表示させた撮影データを所定の操作入力によりメモリ４９に記憶するようにしている。このため、以下の効果を奏することができる。
【００３９】
取り外したデジタルカメラ１７を撮影者に対し離れた位置に置き、所定の操作入力をすることで撮影することができる。したがって、撮影者を含んだ遠距離撮影を良好に行うことができる。
【００４０】
また、高い視点位置から撮影する場合に、取り外したデジタルカメラ１７のみを撮影のため高い位置に持ち上げればよく、ＬＣＤ画面１５が設けられた端末本体１８を持ち上げる必要がなくなる。したがって、この端末本体１８に設けられたＬＣＤ画面１５によりデジタルカメラ１７の撮影映像を見ながらの撮影を良好に行うことができる。
【００４１】
さらに、狭い隙間を撮影する場合に、取り外したデジタルカメラ１７のみを狭い隙間に入れればよいため、ＬＣＤ画面１５が設けられた端末本体１８を狭い隙間に入れる必要がなくなり、その結果、この端末本体１８に設けられたＬＣＤ画面１５でデジタルカメラ１７の撮影映像を見ながらの撮影を良好に行うことができる。
【００４２】
【発明の効果】
以上詳述したように、本発明によれば、撮影手段が着脱可能とされているため、例えば、撮影手段による撮影データを通信により端末本体に送信し表示画面に表示させるようにするとともに、端末本体が表示画面に表示させた撮影データを端末本体への所定の操作入力により記憶手段に記憶するようにすれば、取り外した撮影手段を撮影者に対し離れた位置に置いて端末本体側で前記所定の操作入力をすることにより撮影することが可能となる。したがって、撮影者を含んだ遠距離撮影を良好に行うことが可能となる。
【００４３】
また、高い位置から撮影する場合に、取り外した撮影手段のみを撮影のため高い位置に持ち上げればよく、表示画面が設けられた端末本体を持ち上げる必要がなくなる。したがって、この端末本体に設けられた表示画面により撮像手段の撮影映像を見ながらの撮影を良好に行うことが可能となる。
【００４４】
さらに、狭い隙間を撮影する場合に、取り外した撮影手段のみを狭い隙間に入れればよいため、全体を狭い隙間に入れる必要がなくなる。したがって、狭い隙間の撮影を良好に行うことが可能となる。しかも、表示画面が設けられた端末本体は狭い隙間に入れる必要がなくなることから、この端末本体に設けられた表示画面により撮像手段の撮影映像を見ながらの撮影を良好に行うことが可能となる。
【００４５】
本発明によれば、取り外された撮影手段を端末本体側で無線通信により制御するため、例えば取り外された撮影手段による撮影データを無線通信により端末本体に送信して表示画面に表示させるとともに、端末本体側で表示画面に表示させた撮影データを所定の操作入力により記憶手段に記憶するようにすれば、取り外した撮影手段を撮影者に対し離れた位置に置き、この所定の操作入力をすることで撮影することができる。したがって、撮影者を含んだ遠距離撮影を良好に行うことができる。
【００４６】
また、高い位置から撮影する場合に、取り外した撮影手段のみを撮影のため高い位置に持ち上げればよく、表示画面が設けられた端末本体を持ち上げる必要がなくなる。したがって、この端末本体に設けられた表示画面により撮像手段の撮影映像を見ながらの撮影を良好に行うことができる。
【００４７】
さらに、狭い隙間を撮影する場合に、取り外した撮影手段のみを狭い隙間に入れればよいため、表示画面が設けられた端末本体を狭い隙間に入れる必要がなくなり、その結果、この端末本体に設けられた表示画面により撮像手段の撮影映像を見ながらの撮影を良好に行うことができる。
【００４８】
本発明によれば、端末本体が、表示画面に表示させた撮影データを所定の操作入力により記憶手段に記憶するため、取り外された撮影手段による撮影データを無線通信により端末本体に送信して表示画面に表示させ、端末本体側で表示画面に表示させた撮影データを所定の操作入力により記憶手段に記憶することになり、その結果、取り外した撮影手段を撮影者に対し離れた位置に置き、この所定の操作入力をすることで撮影することができる。したがって、撮影者を含んだ遠距離撮影を良好に行うことができる。
【図面の簡単な説明】
【図１】本発明の一実施形態の携帯端末の全体を示す斜視図である。
【図２】本発明の一実施形態の携帯端末の端末本体に対しデジタルカメラを取り外した状態を示す部分拡大斜視図である。
【図３】本発明の一実施形態の携帯端末の取り外されたデジタルカメラを示す斜視図である。
【図４】本発明の一実施形態の携帯端末の制御系を示すブロック図である。
【符号の説明】
１０  携帯端末
１５  ＬＣＤ画面（表示画面）
１７  デジタルカメラ（撮影手段）
４９  メモリ（記憶手段）
【図１】
0004583657.tif 000002
【図２】
0004583657.tif 000003
【図３】
0004583657.tif 000004
【図４】
0004583657.tif 000005